(57)【要約】  【課題】  使用者が所定のループ形状を有する塗布部を適宜簡単に作り出すことができるマスカラ塗布装置を提供する。  【解決手段】  マスカラを収容する収容部５１及び口元部５２を有するボトル１１並びにこの口元部５２を覆うようにボトル１１に装着されるキャップ１２からなる容器本体１と、一方の側に収容部５１内に差し込まれること及び収容部５１内から引き出されることが可能なマスカラを塗布するための塗布部２１が形成され、かつ、他方の側端がキャップ１２に係止され、キャップ１２がボトル１１に装着されたときに全体が容器本体１内に収容される紐状部材２とを備えたマスカラ塗布装置であって、紐状部材２が、ボトル１１及びキャップ１２の相対的な位置決めをしたときにボトル１１外に引き出された部分により所定のループ形状を形成し得る弾性を有している。【選択図】  図１
2005287604.tif 000002
【特許請求の範囲】
【請求項１】
マスカラを収容する収容部及び口元部を有するボトル並びにこの口元部を覆うようにボトルに装着されるキャップからなる容器本体と、一方の側に前記収容部内に差し込まれること及び収容部内から引き出されることが可能なマスカラを塗布するための塗布部が形成され、かつ、他方の側端が前記キャップに係止され、キャップがボトルに装着されたときに全体が容器本体内に収容される紐状部材とを備えたマスカラ塗布装置であって、
前記紐状部材が、前記ボトル及びキャップの相対的な位置決めをしたときにボトル外に引き出された部分により所定のループ形状を形成し得る弾性を有していることを特徴とするマスカラ塗布装置。
【請求項２】
前記紐状部材の全体が前記ボトル外に引き出されないようにするストッパーを備えたことを特徴とする請求項１に記載のマスカラ塗布装置。
【請求項３】
前記ボトル及びキャップの相対的な位置決めをするための位置決め手段を備えたことを特徴とする請求項１又は２に記載のマスカラ塗布装置。
【発明の詳細な説明】
【技術分野】
【０００１】
本発明は、化粧品としてのマスカラを収容するとともに収容されたマスカラを睫毛に塗布する目的に用いられるマスカラ塗布装置に関する。
【背景技術】
【０００２】
従来のマスカラ塗布装置としては、例えばマスカラを収容するための収容部を有しないハンドルと、このハンドルから突出し所定のループ形状を形成するよう曲げられ、マスカラを塗布すべくマスカラを受容し得るブラシにより形成された塗布部を有する塗布具たるワイヤコアとを備えたものが開示されている（例えば、特許文献１参照）。
【特許文献１】特表平１０−５０９９００号公報
【発明の開示】
【発明が解決しようとする課題】
【０００３】
ところで、近年の個性を重視する使用者ニーズに伴い、マスカラを塗布するための塗布部の形状を、個人毎に千差万別であり同人でも経時的に変化する、目の形、睫毛の質、塗布の仕方などの使用者の個性に、柔軟かつ的確に合致させることが要請されている。
しかしながら、従来のマスカラ塗布装置においては、塗布部を有するワイヤコアのループ形状を使用者が手や道具を使って直接マスカラの付着したワイヤコアを曲げて作り出す必要があるため、塗布部の形状を使用者の個性に柔軟かつ的確に合致させることは事実上かなり困難である。
そこで、本発明の課題は、塗布部の形状を使用者の個性に柔軟かつ的確に合致させることができるように、使用者が所定のループ形状を有する塗布部を適宜簡単に作り出すことができるマスカラ塗布装置を提供することにある。
【課題を解決するための手段】
【０００４】
上記課題を解決するため、本発明に係るマスカラ塗布装置は、マスカラを収容する収容部及び口元部を有するボトル並びにこの口元部を覆うようにボトルに装着されるキャップからなる容器本体と、一方の側に収容部内に差し込まれること及び収容部内から引き出されることが可能なマスカラを塗布するための塗布部が形成され、かつ、他方の側端がキャップに係止され、キャップがボトルに装着されたときに全体が容器本体内に収容される紐状部材とを備えたマスカラ塗布装置であって、紐状部材が、ボトル及びキャップの相対的な位置決めをしたときにボトル外に引き出された部分により所定のループ形状を形成し得る弾性を有していることを特徴としている。
ここで、所定のループ形状には、円弧状の形状、環状の形状であって位置決めをされたボトル及びキャップ側に向けて開口するもの、その他これに類する形状で使用者の個性に柔軟かつ的確に合致し得るものを包含する。
このようなマスカラ塗布装置によれば、ボトル及びキャップの相対的な位置決めにより所定のループ形状を形成し得る弾性体たる紐状部材であってマスカラを塗布するための塗布部が形成されたものを備えたので、使用者は、手や道具を使って直接紐状部材を曲げなくても、ボトル及びキャップの相対的な位置決めをすることにより、ボトル外に引き出された紐状部材の部分により所定のループ形状を適宜簡単に作り出すことが可能となる。
したがって、これによれば、使用者は所定のループ形状を有する塗布部を必要に応じて簡単に得られることになり、これにより、塗布部の形状を使用者の個性に柔軟かつ的確に合致させることが可能となる。
【０００５】
また、ボトル外に紐状部材の全体が引き抜かれないことを担保し得るようにして、本装置に対しての使用者の信頼度・安定度を高めるという観点からすれば、紐状部材の全体がボトル外に引き出されないようにするストッパーを備えたことが好ましい。
【０００６】
さらに、ボトル及びキャップの相対的な位置が定まらずに所定のループ形状を有する塗布部が得られなくなるような不測の事態を有効に回避し得るようにして、塗布部の形状を自分の個性により柔軟かつ的確に合致させようとする観点からすれば、ボトル及びキャップの相対的な位置決めをするための位置決め手段を備えたことが好ましい。
【発明の効果】
【０００７】
本発明に係るマスカラ塗布装置によれば、使用者が所定のループ形状を有する塗布部を適宜簡単に作り出すことができ、塗布部の形状を使用者の個性に柔軟かつ的確に合致させることができる。
【発明を実施するための最良の形態】
【０００８】
以下、添付図面に基づいて本発明の実施の形態を詳細に説明する。
【０００９】
＜実施の形態１＞
図は本発明の実施の形態１に係るマスカラ塗布装置の全体構成を示す斜視図、図２は同マスカラ塗布装置の全体構成を示す斜視断面図、図３は同マスカラ塗布装置のうちボトルの構成を示す斜視断面図、図４は同マスカラ塗布装置のうちキャップの構成を示す斜視断面図、図５は同マスカラ塗布装置のうち紐状部材の構成を示す斜視図、図６は同マスカラ塗布装置のうち容器本体の構成を示す斜視図、図７は同マスカラ塗布装置の一の使用状況を示す斜視図、図７は同マスカラ塗布装置の他の使用状況を示す斜視図である。
【００１０】
本実施の形態において、マスカラ塗布装置は、化粧品としてのマスカラを収容するとともに収容されたマスカラを睫毛に塗布する目的に用いられるものとして構成されている。
【００１１】
そして、このマスカラ塗布装置は、図１及び図２に示すように、容器本体１と、紐状部材２とを備えたものとして構成されている。
【００１２】
以下、これらの各構成要素についてさらに詳細に説明する。
【００１３】
（１）容器本体１
容器本体１は、図１〜図４に示すように、ボトル１１と、キャップ１２とからなるものとして構成されている。
【００１４】
ここで、ボトル１１は、図３に示すように、マスカラ（図示外）を収容する収容部５１と、口元部５２とを有するものとして構成されている。また、キャップ１２は、図４に示すように、口元部５２を覆うようにしてボトル１１に螺合により装着されるものとして構成されている。
【００１５】
このような容器本体１によれば、紐状部材２の一方の側に収容部５１内に差し込まれること及び収容部５１内から引き出されることが可能な塗布部２１を形成するとともに他方の側端をキャップ１２に係止することにより、紐状部材２の塗布部２１を収容部５１内に差し込んでマスカラを付着させるとともにこれを収容部５１内から引き出して睫毛にマスカラを塗布することが可能なマスカラ塗布装置の基本的な構成を具現化することが可能となっている。
【００１６】
ここで、口元部５２は、その開口がワイパー５３によって包囲されている。このようなワイパー５３により、ボトル１１から紐状部材２を引き出す際に過剰のマスカラを除去することが可能となっている。
【００１７】
なお、口元部５２は、ボトル１１の内部から引き出された状態の紐状部材２がボトル１１から突出する方向を拘束する役割を果たしている。これにより、ボトル１１からの突出方向が定まらないために紐状部材２が所定のループ形状を形成できなくなるような不測の事態を有効に回避することが可能となっており、その結果、塗布部２１の形状を使用者の個性により柔軟かつ的確に合致させることが可能となっている。
【００１８】
一方、キャップ１２は、図４に示すように、口元部５２を覆うようにしてボトル１１に螺合により装着されるはずの外キャップ６１内に紐状部材２の係止部２２が係止されるはずの内キャップ６２を組み付けてなるものとして構成されている。
【００１９】
（２）紐状部材２
紐状部材２は、図５に示すように、一方の側に収容部５１内に差し込むこと及び収容部５１内から引き出すことが可能であるマスカラを塗布するための塗布部２１が形成され、かつ、他方の側端に形成された係止部２２がキャップ１２に係止されたものとして構成されている。
【００２０】
ここで、塗布部２１は、図１及び図５に示すように、横断面視で略円形形状に形成された紐状部材２の一方端から途中位置までの間に外周面に横断面方向に延びる溝であってマスカラの貯留を可能とするものを長さ方向に連続的又は間欠的に形成してなるものとして構成されている。
【００２１】
このような紐状部材２により、ボトル１１及びキャップ１２の相対的な位置決めによりボトル１１外に引き出された紐状部材２の部分を所定のループ形状の塗布部２１とすることが可能となっており、その結果、塗布部２１の形状を使用者の個性に柔軟かつ的確に合致させることが可能なマスカラ塗布装置を具現化することが可能となっている（図７及び図８参照）。
【００２２】
また、紐状部材２は、図２に示すように、キャップ１２がボトル１１に装着されたときに全体が容器本体１内に収容されるものとして構成されている（図６参照）。
【００２３】
このような紐状部材２により、キャップ１２がボトル１１に装着されたときに全体が容器本体１内に収容できないような、つまり、実質的に揮発性を有するマスカラを収容する目的を達成できないような紐状部材２の形態を排除することが可能となっており、その結果、紐状部材２の塗布部２１を収容部５１内に差し込んでマスカラを付着させるとともにこれを収容部５１内から引き出して睫毛にマスカラを塗布するというマスカラ塗布装置の基本的な機能を担保することが可能となっている。
【００２４】
そして、紐状部材２は、図７及び図８に示すように、ボトル１１及びキャップ１２の相対的な位置決めをしたときにボトル１１外に引き出された部分により所定のループ形状を形成し得る弾性を有している。
【００２５】
このような紐状部材２により、使用者が、手や道具を使って紐状部材２を直接曲げなくても、ボトル１１及びキャップ１２の相対的な位置決めをすることにより、収容部５１内からボトル１１外に引き出された紐状部材２の部分により所定のループ形状を必要に応じて簡単に作り出すことが可能なマスカラ塗布装置を具現化することが可能となっている。
【００２６】
ここで、紐状部材２は、図５に示すように、紐状部材２の全体が紐状部材２の一方端がボトル１１外に引き出されないようにするストッパー２３を備えたものとして構成されている。
【００２７】
具体的には、ストッパー２３としては、紐状部材２の一方端から外側に向けて突出し、周方向に延びる突出部であって収容部５１内を自由に通過でき、かつ、口元部５２の開口を通過できない大きさに設定されたものが形成されている（図２及び図５参照）。
【００２８】
ここで、ストッパー２３に紐状部材２の一方端がボトル１１外に引き出されないようにすることを要求するのは、紐状部材２の全体がボトル１１外に引き出されないようにすることにより、使用者の信頼度・安定度を高めることが可能なマスカラ塗布装置とするためである。したがって、このような役割を果たすものであれば、本発明において紐状部材２の一方端がボトル１１外に引き出されないようにする紐状部材２の代わりに、途中がボトル１１外に引き出されないようにする紐状部材２その他の紐状部材２を用いることが可能である。
【００２９】
上記したように、この実施の形態１におけるマスカラ塗布装置は、ボトル１１及びキャップ１２の相対的な位置決めをすることにより所定のループ形状を形成し得る弾性体たる紐状部材２を備えたものとして構成されている。そして、この紐状部材２は、マスカラを塗布するための塗布部２１を有するものとして構成されている。
【００３０】
したがって、このようなマスカラ塗布装置によれば、使用者は、手や道具を使って紐状部材２を直接曲げなくても、ボトル１１及びキャップ１２の相対的な位置決めをすることにより、ボトル１１外に引き出された紐状部材２の部分により所定のループ形状を適宜簡単に作り出すことが可能となっている。
【００３１】
よって、これによれば、使用者は所定のループ形状を有する塗布部２１を適宜簡単に得られることになっており、これにより、塗布部２１の形状を使用者の個性に柔軟かつ的確に合致させることが可能となっている。
【００３２】
＜実施の形態２＞
図９は本発明の実施の形態２に係るマスカラ塗布装置の一の使用状況を示す斜視図、図１０は同マスカラ塗布装置の他の使用状況を示す斜視図である。
【００３３】
なお、実施の形態１と同様な構成要素については実施の形態１と同様な符号を付してここではその詳細な説明を省略する。
【００３４】
この実施の形態２に係るマスカラ塗布装置は、図９及び図１０に示すように、実施の形態１と略同様であるが、実施の形態１と異なり、紐状部材３が、その一方端から途中位置までの間に横断面視で略円形形状のブラシ毛であってマスカラの貯留を可能とするものを長さ方向に連続的に形成してなる塗布部３１を有するものとして構成されている。
【００３５】
ここで、紐状部材３は、これらの図に示すように、このような塗布部３１を有しているが、ボトル１１及びキャップ１２の相対的な位置決めをしたときにボトル１１外に引き出された部分により所定のループ形状を形成し得る弾性を有している点では、実施の形態１と異なるところがない。したがって、このような紐状部材３によっても、ボトル１１及びキャップ１２の相対的な位置決めによりボトル１１外に引き出された紐状部材３の部分を所定のループ形状の塗布部３１を形成することが可能となっている。
【００３６】
また、この実施の形態２におけるマスカラ塗布装置にあっては、図１０に示すように、実施の形態１の構成に加えて、ボトル１１及びキャップ１２の相対的な位置決めをするための位置決め手段４を有するものとして構成されている。
【００３７】
具体的には、位置決め手段４としては、同図に示すように、ボトル１１の側面に形成された凹凸と、キャップ１２の側面に形成された凸凹であってボトル１１の凹凸に対応する大きさに設定されたものとからなっており、これら凹凸及び凸凹を互いに嵌め込むことにより、ボトル１１及びキャップ１２の相対的な位置決めをすることが可能となっている。
【００３８】
このような位置決め手段４により、ボトル１１及びキャップ１２の相対的な位置が定まらないために紐状部材３が所定のループ形状を形成できなくなるような不測の事態を有効に回避することが可能となっており、その結果、マスカラを塗布するための塗布部３１を自分の個性により柔軟かつ的確に合致させることが可能となっている。
【００３９】
したがって、この実施の形態２におけるマスカラ塗布装置によっても、使用者は、手や道具を使って紐状部材３を直接曲げなくても、ボトル１１及びキャップ１２の相対的な位置決めをすることにより、ボトル１１外に引き出された紐状部材３の部分により所定のループ形状を適宜簡単に作り出すことが可能となっており、その結果、塗布部３１の形状を使用者の個性に柔軟かつ的確に合致させることが可能となっている。
【図面の簡単な説明】
【００４０】
【図１】本発明の実施の形態１に係るマスカラ塗布装置の全体構成を示す斜視図である。
【図２】同マスカラ塗布装置の全体構成を示す斜視断面図である。
【図３】同マスカラ塗布装置のうちボトルの構成を示す斜視断面図である。
【図４】同マスカラ塗布装置のうちキャップの構成を示す斜視断面図である。
【図５】同マスカラ塗布装置のうち紐状部材の構成を示す斜視図である。
【図６】同マスカラ塗布装置のうち容器本体の構成を示す斜視図である。
【図７】同マスカラ塗布装置の一の使用状況を示す斜視図である。
【図８】同マスカラ塗布装置の他の使用状況を示す斜視図である。
【図９】本発明の実施の形態２に係るマスカラ塗布装置の一の使用状況を示す斜視図である。
【図１０】同マスカラ塗布装置の他の使用状況を示す斜視図である。
【符号の説明】
【００４１】
１ 容器本体
２ 紐状部材
３ 紐状部材
４ 位置決め手段
１１ ボトル
１２ キャップ
２１ 塗布部
２２ 係止部
２３ ストッパー
３１ 塗布部
５１ 収容部
５２ 口元部
５３ ワイパー
６１ 外キャップ
６２ 内キャップ
【図１】
2005287604.tif 000003
【図２】
2005287604.tif 000004
【図３】
2005287604.tif 000005
【図４】
2005287604.tif 000006
【図５】
2005287604.tif 000007
【図６】
2005287604.tif 000008
【図７】
2005287604.tif 000009
【図８】
2005287604.tif 000010
【図９】
2005287604.tif 000011
【図１０】
2005287604.tif 000012